(57)【要約】【課題】  シール材の状態を容易に判断でき、シール材が変質している場合、容易に交換することができる採光部材と、その取付け構造を提供する。【解決手段】  採光部材であるトップライトＴ１は、周囲が囲まれ内部が開口する開口枠１０と、開口枠の開口と対向する開口部２４を形成してあり開口枠に係合固定される開口カバー２０と、開口カバーの開口部２４を覆うように室外側にシール材としてガスケット３０を挟んで固定される透光性を有する平坦な網入りガラス板３５とを備え、開口枠１０は、下地材である野縁２、下地板３に固定される底面部１１と、底面部から延出する外側延出部１３と、外側延出部から外周側に鋭角的に折り曲げられた折返し部１５とが形成され、開口カバー２０は、開口枠の折返し部１５に係合する。網入りガラス板の代わりに、緩やかに湾曲した略平坦な透光性板材を用いてもよい。【選択図】  図２
2005320705.tif 000002
【特許請求の範囲】
【請求項１】
周囲が囲まれて内部が開口する開口枠と、前記開口と対向する開口部を形成してあり前記開口枠に係合固定される開口カバーと、該開口カバーの前記開口部を覆うように室外側にシール材を挟んで固定される透光性を有する略平坦な採光板材とを備える採光部材であって、
前記開口枠は、下地材に固定される底面部と、該底面部から延出する延出部と、該延出部から外周側に鋭角的に折り曲げられた折返し部とが形成され、
前記開口カバーは、前記開口枠の折返し部に係合することを特徴とする採光部材。
【請求項２】
前記開口カバーは、室外側に突設した固定用ボルトを備えており、該固定用ボルトを前記採光板材の貫通孔に挿入して該採光板材を前記開口カバーに固定することを特徴とする請求項１に記載の採光部材。
【請求項３】
前記採光板材と平行状態に透光性断熱材を室内側に、さらに備えることを特徴とする請求項１または２に記載の採光部材。
【請求項４】
請求項１〜３のいずれかに記載の採光部材を、下地開口部を有する前記下地材に取付ける構造であって、
前記下地開口部に対応して該下地材の室外側に前記開口枠を固定し、前記下地材の室外側を金属板材で被覆し、該金属板材の端縁部を室外側に折り曲げて前記折返し部の前記鋭角側に位置させたことを特徴とする採光部材の取付け構造。
【請求項５】
前記採光板材は網入りガラス板であり、前記開口枠、開口カバーはステンレススチール板材から形成し、金属板材はステンレススチール板材であることを特徴とする請求項４に記載の採光部材の取付け構造。
【発明の詳細な説明】
【技術分野】
【０００１】
本発明は、トップライト等の採光部材に係り、特に、シール材等が経年変化したとき容易に点検でき、必要に応じて容易に交換できると共に、断熱性に優れた採光部材と、その取付け構造に関する。
【背景技術】
【０００２】
従来の天窓の接続構造は、屋根には、窓用開口部の周縁に屋根上面より上方に突出した状態で開口枠が設けられ、開口枠の外側面と屋根上面の間には水切り板が設けられ、開口枠の上面と水切り板の上面との間には、開口枠の外側面を覆って柔軟な防水シートが設けられ、防水シートは一端が開口枠の上面に密着されると共に、他端が水切り板の上面に密着されており、採光部を覆う窓覆体が、その周縁に設けられた窓枠の下面を開口枠の上面に対し、防水シートを介して重ね合わさった状態で設置されている（例えば、特許文献１参照）。
【特許文献１】特公平６−１０２９２６号公報（公報第２頁左欄第１２〜２１行）
【発明の開示】
【発明が解決しようとする課題】
【０００３】
ところで、前記構造の天窓の接続構造は、屋根材を葺いた後からでも屋根に容易に接合でき、天窓のない屋根の屋根材を新たにくり抜いてから天窓を屋根に容易に接合できるという効果を有するものであるが、開口枠の上面に防水シートを介して設けられたシール材は外部から見ることができず、経年変化によりシール材が変質して防水性能が低下しても外部から容易に判断することはできなかった。また、シール材等が変質したときに交換することが煩雑であった。さらに、前記の天窓は断熱性については考慮されておらず、夏の炎天下等では室内の温度上昇を抑えることができなかった。
【０００４】
本発明は、このような問題に鑑みてなされたものであって、その目的とするところは、防水機能を保つためのシール材の状態を容易に判断でき、シール材が変質している場合、容易に交換することができるトップライト等の採光部材を提供することにある。また、室外側が略平坦で取付けが容易であり、防水性、耐久性に優れると共に、直射日光を遮って、室内側の温度上昇を抑えることができる採光部材と、その取付け構造を提供することにある。
【課題を解決するための手段】
【０００５】
前記目的を達成すべく、本発明に係る採光部材は、周囲が囲まれて内部が開口する開口枠と、前記開口と対向する開口部を形成してあり前記開口枠に係合固定される開口カバーと、該開口カバーの前記開口部を覆うように室外側にシール材を挟んで固定される透光性を有する略平坦な採光板材とを備え、開口枠は、下地材に固定される底面部と、該底面部から延出する延出部と、該延出部から外周側に鋭角的に折り曲げられた折返し部とが形成され、前記開口カバーは、前記開口枠の折返し部に係合することを特徴としている。開口枠は屋根材等の下地材に固定される。透光性を有する略平坦な採光板材として、網入りガラス板を使用すると好適である。また、採光板材は緩やかに湾曲した板材でもよい。
【０００６】
前記のごとく構成された本発明の採光部材は、室外側に位置する採光板材が略平坦であるため、屋根等からの突出量を小さくでき、取付けが容易となる。また、採光板材の内側に位置するシール材は外部から目視することができ、経年変化による変質等が容易に判断できるため必要な時期に容易に交換することができる。開口カバーは開口枠の折返し部に係合して固定されるため容易に固定でき、防水性に優れている。採光板材を網入りガラス
板とすると不燃仕様とすることができ、耐久性を向上させることができて好ましい。
【０００７】
また、本発明に係る採光部材の好ましい具体的な態様としては、前記開口カバーは、室外側に突設した固定用ボルトを備えており、この固定用ボルトを採光板材の貫通孔に挿入して該採光板材を開口カバーに固定することを特徴としている。この構成によれば、室外側に突設した固定用ボルトのナットを外すことにより採光板材を容易に取外すことができ、目視で確認したシール材の交換作業が容易に行え、採光部材の耐久性を向上させることができる。
【０００８】
さらに、本発明に係る採光部材の好ましい具体的な他の態様としては、前記の採光部材は、採光板材と平行状態に透光性断熱材を室内側に、さらに備えることを特徴としている。透光性断熱材としてはプラスチック段ボール等の断熱板材を積層したものが好ましく、採光板材との間に空間があると、より好ましい。このように構成された採光部材は、前記した種々の効果を奏すると共に、室外からの熱が室内に進入するのを防止できると共に、室内で暖房しているときには暖房熱の室外への放散を防止することができる。また、室内と室外の温度差による結露を防止でき、快適な生活環境を可能とする。
【０００９】
本発明に係る採光部材の取付け構造は、前記の採光部材を、下地開口部を有する下地材に取付ける構造であって、前記下地開口部に対応して該下地材の室外側に前記開口枠を固定し、前記下地材の室外側を金属板材で被覆し、該金属板材の端縁部を室外側に折り曲げて前記折返し部の鋭角側に位置させたことを特徴としている。採光板材は網入りガラス板であり、開口枠、開口カバーはステンレススチール板材から形成し、金属板材はステンレススチール板材であると好ましい。この構成によれば、略平坦な構造の採光部材を、容易な施工で屋根構造に取付けることができ、防水機能が安定して耐久性に優れた不燃構造とすることができ、特に、平坦に近い金属製のフラット屋根構造に最適な取付け構造を可能とする。
【発明の効果】
【００１０】
本発明によれば、防水用のガスケット等のシール材を上方から目視することができ、シール材が劣化しているときは容易に交換でき、トップライト等の採光部材の耐久性を高めることができる。また、採光部材は略平坦な構成であり、平坦に近い屋根への取付けに適しており、取付け施工が容易となる。さらに、防水性、断熱性に優れ、結露を防止して快適な室内環境を保つことができる。
【発明を実施するための最良の形態】
【００１１】
以下、本発明に係る採光部材の一実施形態を図面に基づき詳細に説明する。図１は、本実施形態に係る採光部材として屋根に取付けられたトップライトの要部平面図、図２は、図１のＡ−Ａ線断面図と、その要部断面図、図３は、図１のＢ−Ｂ線断面図、図４は、図１〜３のトップライトの取付け状態を示す分解斜視図である。
【００１２】
図１〜４において、外壁構造の一例として、屋根構造１は野縁２の室外側に、合板等の下地板３が固定されており、Ｘ方向に沿って１／１００〜２／１００程度の緩い勾配が付けられている。野縁２，２…は４５０ｍｍ程度の所定の間隔で平行状態に固定されており、断面が矩形の鋼管が使用されている。本発明の採光部材であるトップライトＴ１は、例えば２本の野縁の間の下地板３がくり抜かれて下地開口部４が形成され、この下地開口部の室外側に固定される。野縁２，２は、下地開口部４を囲むように横桟２ａ，２ａで連結されている。下地板３の外面には金属板材５が敷設され、下地材３を被覆している。金属板材５としてはステンレススチールの厚さが０．３〜０．６ｍｍ程度の板材が使用されている。金属板材としては、塩化ビニル樹脂被覆鋼板等の板材を使用してもよい。
【００１３】
トップライトＴ１は、屋根構造１の明かり取りとして使用されており、屋根構造１に固定される開口枠１０と、開口枠の室外側に固定される開口カバー２０と、開口カバーの室外側にシール材としてガスケット３０を挟んで固定される採光板材とを備えており、採光板材としては網入りガラス板３５が好ましい。ガスケット３０はＥＰＤＭ（エチレンプロピレンジエンゴム）から形成され、２重に固定されている。ガスケット３０はＥＰＤＭをスポンジ状に形成したものでもよく、少なくとも一方の面に粘着剤を備えると好ましい。シール材としてはＯリング等を用いてもよい。
【００１４】
開口枠１０は４つの外周枠片を直角に接合して周囲が囲まれ、内部が矩形状に開口している。開口枠の外周枠片は厚さが０．５〜１ｍｍ程度の比較的厚いステンレススチール板を折り曲げて形成してあり、本実施形態では水平方向の外周枠片と垂直方向の外周枠片は断面形状が異なっている。垂直方向の外周枠片の断面形状は底面部１１と、この底面部の両端から直角に延出する内側延出部１２および外側延出部１３と、内側延出部１２から内側に底面部１１と平行状態に延出する平坦部１４と、外側延出部１３から外周側に室内側に向けて鋭角的に折り曲げられた折返し部１５とを備えている。
【００１５】
水平方向の外周枠片は垂直方向の外周枠片の折返し部が無い形状で、底面部１１と、内側延出部１２、外側延出部１３および平坦部１４を備えている。これにより、開口枠１０の対向する２つの外周枠片には外側に折返し部１５，１５が形成された形状となっている。開口枠１０は中央の底面部１１が屋根構造１の野縁２および横桟２ａに対応して配置され、タッピングビス１６等で固定される。なお、４つの外周枠片が折返し部を備える同じ断面形状でもよいことは勿論である。
【００１６】
開口カバー２０は長尺状のステンレススチールの板材の長辺側の２つの端辺を室内側に折り曲げ形成し、室外側が平坦面２１となっている。開口カバー２０は平坦面２１の外周側が約４５度の方向で２個所で室内側に向けて折り曲げられ立下げ部２２が形成され、立下げ部の下端部は内側に突出する係合部２３となっており、この係合部は内周側に折り曲げられた内側屈曲部２３ａ、外周側に折り曲げられた外側屈曲部２３ｂ、および下端のアール部２３ｃとなっている。このように、係合部２３，２３は開口カバー２０の長辺に沿って、対向して形成されている。
【００１７】
平坦面２１には任意の長さの開口部２４が形成され、開口カバー２０の平坦面２１の開口部周囲には室外側へ突設するスタッドボルト２５が溶接等で固定されている。スタッドボルト２５は透光性を有する平坦な採光板材として網入りガラス板３５を固定するものであり、上端には袋ナット２６が螺合され網入りガラス板３５と袋ナット２６との間にはパッキング２７が挟まれている。開口カバー２０の長辺方向の裏面側には、下地材３との間を埋める硬質ウレタンフォーム等の断熱材２８が充填されている。なお、完全に平坦な網入りガラス板３５の代わりに、緩やかに湾曲する板材や、曲率半径の大きい球面の一部で構成された板材等の略平坦な板材を用いてもよい。
【００１８】
開口カバー２０は短辺方向の中央部が開口部２４となっており、平坦面２１の開口部側の端部は開口枠１０の平坦部１４と対接するように構成されている。そして、開口カバー２０の係合部２３が開口枠１０の折返し部１５の室内側に形成された段差に弾接して係合し、開口カバー２０の平坦面２１と開口枠１０の平坦部１４とが、タッピングビス１７で連結されることにより、開口枠１０に開口カバー２０が固定されている。開口カバー２０の平坦面２１の上面のスタッドボルト２５の内周に、前記のガスケット３０が２重に貼着されている。
【００１９】
採光板材である網入りガラス板３５は、開口カバー２０の開口部２４を覆うように固定され、厚さは６．８〜９ｍｍ程度のものが使用されている。この網入りガラス板は１辺の
長さが４５０ｍｍ程度に設定され、他辺の長さは４５０ｍｍを基準として、最大で２７００ｍｍまでのものが使用される。したがって、本実施形態のトップライトＴ１は、幅が４５０ｍｍ程度で、長さが２７００ｍｍ程度まで可能な開口部を形成できる。網入りガラス板３５は４つの角部にコーナーカット部３６が形成され、外周の４辺に沿って固定用の貫通孔３７が形成されている。
【００２０】
網入りガラス板３５は、貫通孔３７に開口カバーのスタッドボルト２５を挿入して開口カバー２０の室外側に袋ナット２６で固定される。下地の屋根構造１は前記のように緩やかな勾配がついており、開口枠１０および開口カバー２０の下地材３からの突出量が一定であるため、網入りガラス板３５も上面に緩勾配がついて固定される。このような構成により、室外の明るさは網入りガラス板３５を通して、室内側に供給される。なお、網入りガラス板３５のコーナーカット部の代わりに、コーナーアール部としてもよい。
【００２１】
このように構成されたトップライトＴ１は、屋根構造１に取付けられるときに、金属板材５の端辺を開口枠１０の折返し部１５に係合させている。具体的には、図２ｂに示すように、金属板材５の端縁を室外側に直角に折り曲げて立上げ部５ａを形成し、この立上げ部に連続して鋭角的に折り曲げて折返し部５ｂを形成し、さらに立上げ部５ａ側に鋭角的に折り曲げて傾斜部５ｃを形成している。折返し部５ｂの折り曲げ角度は開口枠１０の折返し部１５の角度と略等しく設定すると好ましく、傾斜部５ｃで折返し部１５の端縁を囲むように構成している。この構成により、金属板材５の端縁の立上げ部５ａが開口枠１０の折返し部１５の鋭角側に位置し、金属板材の端縁が折返し部１５を包み込むため両者の間は確実に閉塞され、雨水等が進入することを防止できる。
【００２２】
前記の如く構成された本実施形態のトップライトＴ１の取付け施工について以下に説明する。屋根構造１にトップライトＴ１を取付けるときには、野縁２，２の内側の下地板３を取り除いて矩形状の下地開口部４を形成する。この下地開口部４の周囲に開口枠１０を固定する。先ず開口枠１０の底面部１１を下地材３の表面に対接させ、底面部１１にタッピングビス１６を貫通させて野縁２，２および横桟２ａ，２ａに開口枠１０を固定する。開口枠１０は底面部１１の室外側が開口しているため、タッピングビス１６による屋根構造１への固定が容易に行える。
【００２３】
屋根構造１の下地板３の表面を被覆する金属板材５の端縁部を室外側に折り曲げて立上げて立上げ部５ａを形成し、さらに折返し部５ｂ、傾斜部５ｃを連続して形成し、開口枠１０の折返し部１５の段差部に立上げ部５ａが挿入し、折返し部１５を折返し部５ｂ、傾斜部５ｃで囲むように連結して開口枠１０に固定する。開口枠１０の開口カバー２０の係合部２３が係合しない短辺側の端部には、硬質ウレタンフォーム等の断熱材２８を設置する。既設の屋根構造の場合は、下地材３を被覆している金属板材の端縁部に前記の加工を施して開口枠１０と連結する。
【００２４】
このあと、屋根構造１の下地材３に固定された開口枠１０に開口カバー２０を固定する。開口カバー２０は外周側の係合部２３，２３を開口枠１０の折返し部１５，１５に係合させ、開口枠１０の平坦部１４と開口カバー２０の平坦面２１とを対接させてタッピングビス１７をねじ込んで固定する。タッピングビス１７のねじ込みは、開口カバー２０の長辺に沿って両側に形成された係合部２３，２３が、開口枠１０の長辺に沿って両側に立上げて形成した折返し部１５，１５に係合して仮止めされているため容易に行える。
【００２５】
係合部２３は内側屈曲部２３ａ、外側屈曲部２３ｂおよびアール部２３ｃを備えるため、開口枠１０との係合が容易に行える。開口カバー２０の係合部２３は開口枠１０と金属板材５との連結部分を外周から覆うため、さらに防水性を高めることができ、風雨が強い場合でも確実に漏水を防止できる。開口カバー２０は開口枠１０のある部分では係合部２
３，２３が折返し部１５，１５と金属板材５の折返し部５ｂと傾斜部５ｃに係合するが、開口枠１０の無い部分では金属板材５の折返し部５ｂと傾斜部５ｃにのみ係合する。
【００２６】
これにより屋根構造１の室外側に開口枠１０が固定され、その室外側に開口カバー２０が突出した状態で固定される。すなわち、屋根構造１の平坦面である金属板材５から開口カバー２０が丘状に突出して形成され、開口カバーの裏面側の開口枠１０の無い部分は断熱材２８が位置して開口カバー２０と下地材３との空間が充填される。このあと、開口カバー２０の平坦面２１上に２重にガスケット３０を貼り付け固定する。２重のガスケット３０はスタッドボルト２５の内周側に貼着される。
【００２７】
開口カバー２０のスタッドボルト２５に網入りガラス板３５の貫通孔３７を嵌合させ、ガスケット３０の上に網入りガラス板３５を対接させる。そして、スタッドボルト２５の突出端にパッキング２７を嵌合させて袋ナット２６をねじ込んで固定する。これにより、開口カバー２０の中央の開口部２４は平坦な網入りガラス板３５で覆われる。この結果、網入りガラス板３５を通して室外側からガスケット３０を透視することができ、ガスケット３０が経年変化等で劣化したときや、防水状態が低下したときには容易に目視で点検することができる。また、点検の結果、ガスケット３０の交換が必要な場合は、スタッドボルト２５に螺合した袋ナット２６を外す作業のみで網入りガラス板３５を開口カバー２０から外すことができ、容易にガスケット３０を交換することができる。
【００２８】
このように構成されたトップライトＴ１およびその取付け構造は、全体として平坦な形状であり、平坦な構造の屋根、特に金属製の屋根構造への取付けが容易に行える。降雨時には、網入りガラス板３５上の雨水は水勾配に沿って流れ、網入りガラス板３５と開口カバー２０との隙間に進入した雨水はガスケット３０により室内側への進入は防止される。また、金属板材５上の雨水は水勾配（Ｘ方向）に沿って流れ、開口枠１０に近接する雨水は立上げ部５ａにより内部への進入は阻止される。さらに、採光板材として網入りガラス板３５を使用し、開口枠１０、金属板材をステンレススチール板で形成したため、不燃仕様で高耐久性を有するトップライト、およびその取付け構造とすることができる。また、フラット構造であり、メンテナンスに優れた構造となっている。
【００２９】
なお、開口枠１０と金属板材５との連結部や、開口枠１０と開口カバー２０との係合部は前記のような形状に限らず、図５に示すように、開口枠１０の折返し部１５に金属板材５の端縁の立上げ部５ａが挿入するだけでもよく、図示していないが係合部は直角に折り曲げた屈曲部を開口枠の折返し部に係合させるような構成でもよい。また、開口枠の断面形状は、開口カバー２０の係合部２３が係合しない側の開口枠１０の外周枠辺外側延出部１３Ａが、図６に示すように折返し部が無く、開口カバー２０と接する形状でもよい。
【００３０】
本発明の他の実施形態を図７，８に基づき詳細に説明する。図７は本発明に係る採光部材の他の実施形態の要部断面図、図８はその要部の一部を破断した斜視図である。なお、この実施形態は前記した実施形態に対し、トップライトＴ２は室外側に位置する網入りガラス３５板と平行状態に、透光性断熱材４０をさらに備えることを特徴とする。そして、他の実質的に同等の構成については同じ符号を付して詳細な説明は省略する。
【００３１】
図７，８において、トップライトＴ２は採光板材である網入りガラス板３５と平行状態に透光性断熱材４０を室内側に間隔を空けて、さらに備えている。透光性断熱材４０は４辺に位置する支持枠４１により複数枚のプラスチック段ボール４２を積層して構成されている。本実施形態の透光性断熱材は、複数枚のプラスチック段ボールを所定の間隔で離間した状態で積層し、外周を枠体で囲んで平面視を矩形状としている。透光性断熱材４０は下地開口部４に嵌合する形状をしている。
【００３２】
支持枠４１の内周には複数のリブ４１ａが形成され、これらのリブ間にプラスチック段ボール４２を挿入して離間状態を保持している。また支持枠４１の外周側には固定用のリブ４１ｂが延出形成され、このリブを下地材３と開口枠１０で挟んで透光性断熱材４０を固定している。支持枠４１としてアルミニウムや、プラスチック等の押出し材を使用し、平面部と一体的に複数のリブ４１ａを所定間隔に形成し、固定用のリブ４１ｂを形成し、このリブ４１ｂを下地開口部４の段差部４ａに落とし込むと好ましい。
【００３３】
このように、透光性断熱材４０は、網入りガラス板３５と室外側に位置する第１の断熱材であるプラスチック段ボール４２との間に空間４３ａが形成されると共に、複数のプラスチック段ボール４２，４２のそれぞれの間に、それぞれ空間４３ｂ，４３ｂが形成されており、複数層の空間４３ａ，４３ｂの総ての間隙を２０ｍｍ以下とすることで、内部の空気等の流体が対流するのを防止しているため、断熱性能が向上している。なお、前記の間隙とは、各板材の垂直方向の距離間隔である。
【００３４】
支持枠４１のリブ間に各プラスチック段ボール４２を挿入するときに、パッキングを入れたりコーキング剤を注入したりすることにより、各空間４３ｂ，４３ｂを気密状態に密封することができる。複数の空間４３ｂ，４３ｂが密封されている場合は、内部に乾燥空気を充填すると好ましく、乾燥空気の代わりに窒素ガス等を封入するようにしてもよい。また、各空間を密封せずに支持枠４１に通気用の小孔（図示せず）を形成し、内部の空気が流通するようにしてもよい。複数の断熱層を形成するプラスチック段ボール４２，４２…は、軟質で湾曲しやすく、湾曲すると空間の間隙が異なり、２０ｍｍ以上となる虞があるため、中間部分にスペーサ（図示せず）を配置して空間の寸法が変化しにくい構成とすることもできる。
【００３５】
複数の透光性を有する断熱板材として使用されているプラスチック段ボール４２は、全体の厚さが３〜５ｍｍ程度で、２枚のプラスチック薄板材（０．１〜０．３ｍｍ厚）と、これらの薄板材を直交する方向に連結する中間桁材とから形成され、中間桁材も同様な厚さの薄板のプラスチック材で３〜５ｍｍ程度の間隔で連続して接合されている。このため、２枚のプラスチック薄板材の中間には断熱用の空気層が形成される構造となっている。プラスチック薄板はポリプロピレンやポリカーボネート等の樹脂から形成され、耐候性を考慮するとポリカーボネート樹脂が好ましい。プラスチック段ボール４２は透明、あるいは乳白色であり、光の透過率は適宜設定される。
【００３６】
透光性断熱材４０を構成するプラスチック段ボールの枚数は、このパネルを採用する住宅等が建築される地域等により選択されることが好ましい。例えば、寒冷な地域では室外側の温度と室内温度との差が大きいため、プラスチック段ボール４２の枚数を増やして空間４３を多数層構成とすることで、断熱性能を向上させることができる。また、断熱板材の枚数を増やすと光の透過率が相対的に低くなるため、所望の断熱性能と透過率より枚数を設定することが好ましい。
【００３７】
この実施形態のトップライトＴ２は、前記した実施形態と同様な効果を奏すると共に、網入りガラス板３５と間隔を空けて平行状態に室内側に透光性断熱材４０をさらに備えているため、夏季には日中の日差しによる熱が室内側に進入するのを防止でき、冬季には暖房の熱がトップライトＴ２を通して屋外に逃げるのを防止することができる。さらに、室内と屋外の温度差による結露を防止することができ、快適な生活空間を確保することができる。なお、透光性断熱材４０は下地板３と開口枠１０とにより挟んで固定する構成としたが、開口枠に直接固定するようにしてもよく、野縁に固定するように構成してもよい。
【００３８】
すなわち、透光性断熱材４０は、複数のプラスチックダンボール４２で複数の空間４３が形成され、これらの空間の間隙は内部流体が対流しないように設定されている。対流は
気体、液体等の流体のマクロな運動（流れ）によって熱や物質が運ばれる現象であって、流体内に温度差が生じると熱膨張による密度差が生じ、密度の小さい部分は浮力を受けて上昇し、それと入れ替わりに密度の大きい部分が降下する循環流が生じて熱が伝達されるが、本実施形態の透光性断熱材４０は、空間４３の間隙を２０ｍｍ以下に設定することで前記のような対流を防止しているために断熱性能が優れているのである。
【００３９】
以上、本発明の一実施形態について詳述したが、本発明は、前記の実施形態に限定されるものではなく、特許請求の範囲に記載された本発明の精神を逸脱しない範囲で、種々の設計変更を行うことができるものである。例えば、屋根構造は金属製の野縁と合板の下地板から構成した例を示したが、垂木等の木製の下地材を備える屋根構造や、ＡＬＣ板と防水シートを用いた構造等の構造でもよい。また、開口カバーの裏面側に設置した断熱材としては、グラスウールやロックウール等の断熱材を用いてもよい。
【００４０】
透光性を有する平坦な採光板材として、網入りガラス板の例を示したが、アクリル板やポリカーボネート板等の透光性を有するプラスチック板でもよい。また、プラスチック板はスモークのかかった透過率の低いタイプや着色されたもの、ＵＶカット効果を有するタイプや、各種の表面処理を施したタイプのものを採用してもよい。さらに、プラスチックシートを中間に挟んだ強化ガラスや、グラスファイバー等で強化したガラス板材でもよい。採光部材は平面視で長方形状に限らず、円形等適宜の形状とすることができる。
【００４１】
採光板材として、緩やかに湾曲した略平坦な板材を使用する場合、開口カバーの上面を採光板材に合わせて緩やかに湾曲させることが好ましいが、発泡性シール材のように収縮率の大きいシール材を用いてシールしてもよい。
【産業上の利用可能性】
【００４２】
本発明の活用例として、この採光部材を壁面パネル等の垂直な外壁材を有する外壁構造に取付けることができ、壁面等の明かり取りの用途にも適用できる。また、瓦屋根構造等の勾配の急な屋根構造に適用することもできる。
【図面の簡単な説明】
【００４３】
【図１】本発明に係る採光部材としてトップライトの一実施形態の要部平面図。
【図２】（ａ）は図１のＡ−Ａ線断面図、（ｂ）は開口枠と金属板材との連結状態を示す要部断面図。
【図３】図１のＢ−Ｂ線断面図。
【図４】図１〜３のトップライトの取付け状態を示す分解斜視図。
【図５】採光部材の変更例を示す要部断面図。
【図６】採光部材の他の変更例を示す要部断面図。
【図７】本発明に係る採光部材の他の実施形態の要部断面図。
【図８】図７の透光性断熱材と屋根構造との関係を示す一部を破断した要部斜視図。
【符号の説明】
【００４４】
Ｔ１，Ｔ２：トップライト（採光部材）、１：屋根構造、２：野縁（下地材）、３：下地板（下地材）、４：下地開口部、５：金属板材、５ａ：立上げ部、１０：開口枠、１１：底面部、１３：外側延出部、１５：折返し部、２０：開口カバー、２３：係合部、２４：開口部、２５：スタッドボルト（固定用ボルト）、２６：袋ナット、３０：ＥＰＤＭガスケット（シール材）、３５：網入りガラス板（採光板材）、３７：貫通孔、４０：透光性断熱材、４１：支持枠、４２：プラスチック段ボール（断熱シート）、４３ａ，４３ｂ：空間（断熱空気層）
【図１】
2005320705.tif 000003
【図２】
2005320705.tif 000004
【図３】
2005320705.tif 000005
【図４】
2005320705.tif 000006
【図５】
2005320705.tif 000007
【図６】
2005320705.tif 000008
【図７】
2005320705.tif 000009
【図８】
2005320705.tif 000010